(57)【要約】【課題】画像を表現する素子が少ないディスプレイを使用した場合でも、環境情報の時系列な変化と、環境情報に関する適合範囲とをユーザがわかりやすく認識できる環境情報測定装置を提供する。【解決手段】環境情報測定装置は、環境情報を測定する測定部と、環境情報に関する適合範囲を記憶するメモリ部と、測定部により測定された環境情報を時系列的にグラフ表示するグラフ表示部、及び、メモリ部により記憶された適合範囲をグラフ表示部とは重ならない位置にグラフ表示する適合範囲表示部を有する表示部とを備える。【選択図】図３
2019045306.tif 000002
【特許請求の範囲】
【請求項１】
環境情報を測定する測定部と、
前記環境情報に関する適合範囲を記憶するメモリ部と、
前記測定部により測定された前記環境情報を時系列的にグラフ表示するグラフ表示部、及び、前記メモリ部により記憶された前記適合範囲を前記グラフ表示部とは重ならない位置にグラフ表示する適合範囲表示部を有する表示部と、
を備える環境情報測定装置。
【請求項２】
前記グラフ表示部にグラフ表示する前記環境情報に並列して、前記適合範囲表示部は前記適合範囲をグラフ表示する
請求項１に記載の環境情報測定装置。
【請求項３】
前記グラフ表示部は、前記環境情報に関する環境情報目盛線を有し、前記適合範囲表示部は、前記環境情報目盛線の延長上に、前記適合範囲に関する適合範囲目盛線を有する
請求項１又は２に記載の環境情報測定装置。
【請求項４】
前記環境情報目盛線間と前記適合範囲目盛線間に同一の数のセグメントが設けられる
請求項３に記載の環境情報測定装置。
【請求項５】
前記グラフ表示部は、当日及び過去の日に測定された前記環境情報のグラフ表示を切り替えて表示し、
前記適合範囲表示部は、前記グラフ表示に対応する日に設定された適合範囲をグラフ表示する
請求項１から４までの何れかに記載の環境情報測定装置。
【請求項６】
前記環境情報は、温度及び湿度であり、
前記適合範囲表示部は、温度及び湿度のそれぞれについて設定された適合範囲を切り替えて表示する
請求項１から５までの何れかに記載の環境情報測定装置。
【発明の詳細な説明】
【技術分野】
【０００１】
本発明は、環境情報測定装置に関する。
【背景技術】
【０００２】
温度等を測定する装置では、測定結果をグラフ表示することが行われている。例えば特許文献１には、測定した温度の時系列的な変化である温度分布データを折れ線グラフによりディスプレイに表示し、また、温度分布データの適切な温度範囲を上限値と下限値のラインで表示することが開示されている。
【先行技術文献】
【特許文献】
【０００３】
【特許文献１】特開平０８−３２７４５９号公報
【発明の概要】
【発明が解決しようとする課題】
【０００４】
特許文献１に記載のような表示を行う場合に、画像を表現する素子が少ないディスプレイを用いると、温度分布データを示すグラフと温度範囲を示すラインとの表示が重なってしまいわかりづらいといった問題が生じる。この問題は、特に、温度分布データが棒グラフで表示されたり、温度分布データを示すグラフと温度範囲を示すラインとが同じ色で表示されたりすると顕著になる。
【０００５】
本発明は上述した点に鑑みてなされたものであり、画像を表現する素子が少ないディスプレイを使用した場合でも、環境情報の時系列な変化と、環境情報に関する適合範囲とをユーザがわかりやすく認識できる環境情報測定装置を提供することを目的の一つとする。
【課題を解決するための手段】
【０００６】
上記課題を解決するために、本発明は、
環境情報を測定する測定部と、
環境情報に関する適合範囲を記憶するメモリ部と、
測定部により測定された環境情報を時系列的にグラフ表示するグラフ表示部、及び、メモリ部により記憶された適合範囲をグラフ表示部とは重ならない位置にグラフ表示する適合範囲表示部を有する表示部と、
を備える環境情報測定装置である。
【発明の効果】
【０００７】
本発明の少なくとも実施形態によれば、画像を表現する素子が少ないディスプレイを使用した場合でも、環境情報の時系列な変化と、環境情報に関する適合範囲とをユーザがわかりやすく認識できる表示を行うことができる。なお、本明細書において例示された効果により本発明の内容が限定して解釈されるものではない。
【図面の簡単な説明】
【０００８】
【図１】図１は、一実施形態に係る温湿度計の６面図である。
【図２】図２は、一実施形態に係る温湿度計の構成例を示すブロック図である。
【図３】図３は、表示部に設けられるセグメントの配置例を示す図である。
【図４】図４は、表示部の表示例を示す図である。
【図５】図５Ａ〜図５Ｅは、１個当たりのセグメントに対応する温度の例を説明するための図である。
【図６】図６Ａ及び図６Ｂは、温度に関する快適範囲を設定するための設定画面例を示す図である。
【図７】図７Ａ及び図７Ｂは、湿度に関する快適範囲を設定するための設定画面例を示す図である。
【図８】図８は、湿度変化グラフ等の表示例を説明するための図である。
【図９】図９Ａ及び図９Ｂは、表示部に表示される内容の遷移例を説明するための図である。
【図１０】図１０Ａ〜図１０Ｄは、表示部に表示される内容の遷移例を説明するための図である。
【図１１】図１１Ａ〜図１１Ｃは、変形例を説明するための図である。
【図１２】図１２Ａ〜図１２Ｃは、変形例を説明するための図である。
【図１３】図１３Ａ〜図１３Ｃは、変形例を説明するための図である。
【図１４】図１４Ａ及び図１４Ｂは、変形例を説明するための図である。
【図１５】図１５Ａ及び図１５Ｂは、変形例を説明するための図である。
【図１６】図１６Ａ及び図１６Ｂは、変形例を説明するための図である。
【図１７】図１７Ａ及び図１７Ｂは、変形例を説明するための図である。
【図１８】図１８Ａ及び図１８Ｂは、変形例を説明するための図である。
【発明を実施するための形態】
【０００９】
以下、本発明の一実施形態等について図面を参照しながら説明する。なお、説明は以下の順序で行う。
＜１．一実施形態＞
＜２．変形例＞
なお、本発明の理解を容易とするために、同じ構成であっても図示の大きさ等を変更する場合や、図示を簡略化する場合がある。
【００１０】
＜１．一実施形態＞
本発明に係る環境情報測定装置は、温度・湿度・騒音・風速・紫外線・照度・電磁波・振動・大気濃度・気圧などの値を示す環境情報を測定する装置である。一実施形態として、環境情報測定装置の一種として、環境情報が温度及び湿度の値を示すところの測定に特化した温湿度計を事例に説明する。
【００１１】
［温湿度計の外観例］
図１を参照して、本実施形態に係る温湿度計１００の外観例について説明する。図１において、参照符号１Ａ、１Ｂ・・１Ｆに対応する図は、それぞれ、温湿度計１００の正面図、右側面図、左側面図、平面図、底面図及び背面図である。温湿度計１００は、例えばユーザの手で可搬可能な程度の大きさであり、テーブル、棚の上等の適宜な場所に置かれて使用される。
【００１２】
温湿度計１００は、平面視が長円であり、全体として略直方体の形状を成す筐体１１を有している。筐体１１は、樹脂、金属等によって構成されている。筐体１１の前面には表示部１２及び操作入力部１３が設けられている。表示部１２は、例えば、大きさが横８５ｃｍ（センチメートル）×縦６３ｃｍ程度の横長の画面である。
【００１３】
操作入力部１３は、各種の入力情報が入力される。具体的には、操作入力部１３は、プッシュ式のボタン１３ａ、１３ｂ、１３ｃ及び１３ｄを有し、これらボタン１３ａ〜１３ｄが、表示部１２の下側に横方向に整列して設けられている。ボタン１３ａは、温度及び湿度のグラフ表示を切り替える場合等に押下されるボタンである。ボタン１３ｂ及びボタン１３ｃは、日付・時刻・温度の快適範囲・湿度の快適範囲等に関する設定をしたり、表示結果の日付を切り替えたりする場合等に押下されるボタンである。ボタン１３ｄは、入力を確定する場合等に押下されるボタンである。
【００１４】
筐体１１の背面には、開閉式の電池蓋１４が設けられている。電池蓋１４が開かれた状態で、例えば２本の単４乾電池が筐体１１内部に装着可能とされている。温湿度計１００は、装着された乾電池を電源として駆動する。なお、温湿度計１００は、商用電源により駆動するものでも良いし、リチウムイオン電池等の充電可能な２次電池により駆動するものでも良い。
【００１５】
［温湿度計の構成例］
次に、温湿度計１００の主に内部の構成例について説明する。図２は、温湿度計１００の構成例を示すブロック図である。温湿度計１００は、上述した表示部１２及び操作入力部１３の他に、演算・制御部２１、検出変換部２２及びメモリ部２３を有している。なお、演算・制御部２１及び検出変換部２２により環境情報を測定する測定部２０が構成される。
【００１６】
演算・制御部２１は、構成各部からの情報に基づいて演算したり、構成各部を制御したりする。具体的には、演算・制御部２１は、ＣＰＵ(Central Processing Unit)により構成されており、操作入力部１３から操作された温度及び湿度のグラフ表示の切り替え、日付・時刻・温度の快適範囲・湿度の快適範囲等に関する設定、表示結果の日付の切り替えなどの入力情報を表示部１２に表示させるなどの制御を行う。
また、演算・制御部２１は、検出変換部２２により出力された温度検出データに基づいて温度の値を求めたり、検出変換部２２により出力された湿度検出データに基づいて湿度の値を求めたりして、これら求めた温度の値及び湿度の値を表示部１２に表示させるなどの制御を行う。
また、演算・制御部２１は、計時機能を有する時計部２１ａを有し、計時機能に基づいた日時情報を表示部１２に表示させたり、求めた温度の値及び湿度の値と関連づけてメモリ部２３に計時機能に基づいた日時情報を記憶し、操作入力部１３からの操作に基づいて、温度の値及び湿度の値を示すグラフを表示部１２に表示させたりするなどの制御を行う。
【００１７】
検出変換部２２は、温度検出データ及び湿度検出データを検出し、演算・制御部２１に出力する。具体的には、検出変換部２２は、温度センサ２２ａ、湿度センサ２２ｂ及び変換処理部２２ｃを有している。温度センサ２２ａは、温湿度計１００の周囲の温度を検出し、検出した温度検出データを変換処理部２２ｃに出力する。また、湿度センサ２２ｂは、温湿度計１００の周囲の湿度を検出し、検出した湿度検出データを変換処理部２２ｃに出力する。
【００１８】
変換処理部２２ｃは、増幅回路及びＡ／Ｄ(Analog to Digital)変換回路を有している（これらの構成の図示は省略している。）。変換処理部２２ｃは、検出した温度検出データ及び検出した湿度検出データを増幅し、Ａ／Ｄ変換し、演算・制御部２１に出力する。なお、温度センサ２２ａ及び湿度センサ２２ｂのそれぞれに対応して、増幅回路における増幅率や回路構成が異なる変換処理部が設けられても良い。
【００１９】
メモリ部２３は、環境情報に関する適合範囲などの各種の情報を記憶する。具体的には、ＲＯＭ(Read Only Memory)２３ａ、ＲＡＭ（Random Access Memory）２３ｂ及びフラッシュメモリ２３ｃを有している。ＲＯＭ２３ａは、演算・制御部２１が実行するプログラムを記憶する。ＲＡＭ２３ｂは、演算・制御部２１がプログラムを実行する際のワークメモリとして使用される。フラッシュメモリ２３ｃは、検出変換部２２から出力された温度検出データに基づいて求めた温度の値、及び、湿度検出データに基づいて求めた湿度の値である環境情報を、時計部２１ａにより提供される日時情報と関連づけて記憶したり、また、操作入力部１３により設定された温度の快適範囲・湿度の快適範囲等に関する設定された情報を、履歴（ログ）として記憶したりする不揮発性のメモリである。フラッシュメモリ２３ｃは、環境情報と日時情報とを関連づけた履歴を、例えば７日分記憶可能に構成されている。
【００２０】
表示部１２は、演算・制御部２１による制御に基づいて、各種の情報を表示する。具体的には、画像を表現する素子（細長い表示単位の素子）の数が比較的少ない画面で構成されるセグメント方式のＬＣＤ(Liquid Crystal Display)を有する。なお、表示部１２は、セグメント方式のＬＣＤに限られず、画像を表現する素子が少ない画面を有するものならば用いることができ、例えば、有機ＥＬ（Electro Luminescence）等であっても良い。画像を表現する素子が比較的少ない画面は、一般的に廉価に提供を受けることができ、表示部１２にかかるコストを抑制することができる。
そして、表示部１２は、温度及び湿度のグラフ表示の切り替え、日付・時刻・温度の快適範囲・湿度の快適範囲等に関する設定、表示結果の日付の切り替えなどの操作入力部１３からの操作に基づいた入力情報を、また、演算・制御部２１により求められた温度の値及び湿度の値である環境情報を、演算・制御部２１による制御に基づいて表示する。
【００２１】
操作入力部１３は、上述したようにボタン１３ａ〜１３ｄを有している。操作入力部１３は、プッシュ式のボタンに限らず、スライド式のボタンやダイヤルであっても良い。また、操作入力部１３は、タッチスクリーンでも良いし、温湿度計１００を遠隔操作可能なリモートコントロール装置であっても良い。
【００２２】
［表示例］
（表示部の構成例）
図３は、表示部１２に設けられるセグメント（画像を表現する素子）の配置の一例を示している。表示部１２には、温度の値を表示するためのセグメントの集合である温度数値表示部２４が設けられる。表示部１２には、湿度の値を表示するためのセグメントの集合である湿度数値表示部２５が設けられる。表示部１２には、温度の値又は湿度の値の時系列な変化（横方向に列した時間の目盛の値及び時間の単位、縦方向に列した温度又は湿度の目盛の値及び温度又は湿度の単位を含む）をグラフとして表示するためのセグメントの集合であるグラフ表示部２６が設けられる。表示部１２には、後述する環境情報に関する適合範囲を表示するためのセグメントの集合である適合範囲表示部２７が設けられる。表示部１２には、その他の表示、具体的には、月日、曜日、時刻、電池の残量、「ＡＶＧ」の文字及び「Ｍ」の文字を表示するためのセグメントの集合である日時情報表示部２８が設けられる。
【００２３】
（全体の表示例）
上述した各表示部におけるセグメントの集合のうちの適宜なセグメントが演算・制御部２１による制御によって駆動され、これによりユーザに対する情報の表示がなされる。図４は、表示部１２の表示例を示している。温度数値表示部２４を構成するセグメントのうち、適宜なセグメントが駆動されることにより、温度情報３１として温度の値が表示される。具体的には、温度情報３１は、温度センサ２２ａにより検出された温度検出データに基づいて演算・制御部２１によって求められた現在の温度の値（図示の例では２５．８℃）を示し、表示部１２における上部左側に表示される。
【００２４】
湿度数値表示部２５を構成するセグメントのうち、適宜なセグメントが駆動されることにより、湿度情報３２として湿度の値が表示される。具体的には、湿度情報３２は、湿度センサ２２ｂにより検出された湿度検出データに基づいて演算・制御部２１によって求められた現在の湿度の値（図示の例では５３％）を示し、表示部１２における温度情報３１の右側に表示される。なお、温湿度計１００における仕様の使用温度範囲は、一例として、−９．９〜５０．０℃である。また、温湿度計１００における仕様の使用湿度範囲は、一例として、２０〜９５％である。
【００２５】
グラフ表示部２６を構成するセグメントのうち、適宜なセグメントが駆動されることにより、環境情報（温度の値又は湿度の値）の時系列な変化を示す温度変化グラフ４１が表示される。具体的には、温度変化グラフ４１は、メモリ部２３により記憶された環境情報と日時情報と関連づけた履歴に基づいて演算・制御部２１によって抽出された１日における環境情報（図４の例は、温度の値）の時系列な変化を示し、表示部１２の下側半分の位置に表示される。
【００２６】
温度変化グラフ４１は、横方向に列して表示される時間表示４２を含む。時間表示４２は、０、６、１２、１８、２４と６時間刻みの表示である。時間表示４２における２４の右側には時間の単位を示すｈ（hour）が表示される。また、温度変化グラフ４１は、縦方向に列して表示される温度表示４３を含む。図４では、温度表示４３の一例として、「１５」、「２０」、「２５」、「３０」、「３５」が示されている。温度表示４３における「３５」の右側には温度の単位を示す℃が表示される。
【００２７】
また、温度変化グラフ４１は、温度表示４３の右方向に延在する複数の目盛線を含む。例えば、温度変化グラフ４１は、横方向に延在し縦方向に沿って略等間隔で配列される５本の環境情報目盛線（環境情報目盛線４４ａ、４４ｂ・・４４ｅ）を含む。環境情報目盛線４４ａは１５℃を示す線であり、環境情報目盛線４４ｂは２０℃を示す線であり、環境情報目盛線４４ｃは２５℃を示す線であり、環境情報目盛線４４ｄは３０℃を示す線であり、環境情報目盛線４４ｅは３５℃を示す線である。各環境情報目盛線に対応する温度の値は、メモリ部２３により記憶された温度の値と日時情報と関連づけた履歴に基づいて演算・制御部２１によって抽出された１日における温度の値の時系列な変化のうち、温湿度計１００における仕様の使用温度範囲にある温度の値の最大値及び最小値に応じて自動的に変更される。換言すると、目盛線間の温度範囲が自動的に変更される。なお、目盛線は、線状のものであればどのようなものでも良い。図示の例は、目盛線間の温度範囲が５℃の例である。
【００２８】
温度変化グラフ４１は、１時間単位で温度の値が棒グラフにより表示される。即ち、横軸方向が２４分割され、分割された箇所から縦方向に温度の値に応じた数のセグメント４５（細長い表示単位の素子）が表示される。これにより、１日のある時間帯（１時間）における温度の値が示される。本実施形態では、１時間における温度の平均値に対応する数のセグメント４５が表示される。目盛線間には、５個のセグメント４５が設けられている。セグメント４５は、矩形状を成し、表示の際には点灯又は点滅する。
【００２９】
１個当たりのセグメント４５に対応する温度の値は、メモリ部２３により記憶された温度の値と日時情報と関連づけた履歴に基づいて演算・制御部２１によって抽出された１日における温度の値の時系列な変化のうち、温湿度計１００における仕様の使用温度範囲にある温度の値の最大値及び最小値に応じて自動的に変更される。以下、１個当たりのセグメント４５に対応する温度の例について説明するが、湿度についでも同様である。図５は、１個当たりのセグメント４５に対応する温度の複数の例を示している。
【００３０】
図５Ａは、１セグメント当たりの温度が１℃の場合（目盛線間の温度範囲が５℃）の温度変化グラフ４１の点灯による表示例である。図５Ｂは、１セグメント当たりの温度が２℃の場合（目盛線間の温度範囲が１０℃）の温度変化グラフ４１の表示例である。なお、温度が−９．９℃未満のときは、環境情報目盛線４４ａ側から数えて１番目のセグメント４５ａだけが点滅するようにしても良い。
【００３１】
図５Ｃは、１セグメント当たりの温度が３℃の場合（目盛線間の温度範囲が１５℃）の温度変化グラフ４１の点灯による表示例である。この場合には、０℃の環境情報目盛線４４ｂの下の環境情報目盛線４４ａは−１５℃が対応するが、仕様における使用温度範囲を逸脱しているため「−１５」は表示されない。なお、温度が−９．９℃未満のときは、環境情報目盛線４４ａ側から数えて２番目のセグメント４５ｂだけが点滅するようにしても良い。
【００３２】
図５Ｄは、１セグメント当たりの温度が３℃の場合（目盛線間の温度範囲が１５℃）であって、温度が５０℃を超える場合の温度変化グラフ４１の点灯による表示例である。環境情報目盛線４４ａが０℃に対応する場合、最上位の環境情報目盛線４４ｅは６０℃に対応するが、仕様における使用温度範囲を逸脱しているため「６０」は表示されない。なお、この場合には、温度センサ２２ａにより測定された温度が５０℃を超えた場合には、環境情報目盛線４４ａ側から数えて１７番目のセグメント４５ｃだけが点滅するようにしても良い。
【００３３】
図５Ｅは、１セグメント当たりの温度が４℃の場合（目盛線間の温度範囲が２０℃）の温度変化グラフ４１の点灯による表示例である。環境情報目盛線４４ｂが０℃に対応する場合、最上位の環境情報目盛線４４ｅは６０℃に対応し、最下位の環境情報目盛線４４ａは−２０℃に対応するが、いずれも仕様における使用温度範囲を逸脱しているため「６０」及び「−２０」は表示されない。
【００３４】
以上説明したように、１セグメント当たりに対応する温度が自動的に変更される。また、上述したように、仕様における使用温度範囲を逸脱する温度は表示しないようにすることができる。
【００３５】
このように、温度の値を１時間単位で順次表示することにより、１日における温度の値の時系列な変化をユーザは知ることができる。これにより、ユーザが体感していない事実の可視化が可能となる。例えば、仕事等で外出している際の室内の温度の値の推移を知ることが可能となり、場合によっては、室内の温度の値の推移が想定以上であることをユーザは認識する。また、ユーザが体感した事実の可視化が可能となる。例えば、冬の朝方、寒さで目が覚めたユーザは、未明付近の時刻における温度変化を確認することにより自己の行動（覚醒）の原因となった温度変化を認識することができる。
【００３６】
適合範囲表示部２７を構成するセグメントのうち、適宜なセグメントが駆動されることにより、グラフ表示部２６にグラフ表示される環境情報について条件や事情に当てはまる範囲を示す適合範囲が表示される。なお、ここでは、適合範囲の一種として、快適範囲５１が表示される。快適範囲５１についての詳細は後述する。
なお、適合範囲表示部２７は、グラフ表示部２６とは重ならない位置に配置される。すなわち、グラフ表示部２６に表示される温度変化グラフ４１と適合範囲表示部２７に表示される温度の値に関する快適範囲グラフとは、どのような関係をもたらす結果の場合であっても重なることがない。
【００３７】
日時情報表示部２８を構成するセグメントのうち、適宜なセグメントが駆動されることにより、日時情報３３が表示される。図４に示すように、日時情報３３は、時計部２１ａからの出力に基づいて表示される現在の時刻等（図示の例では１１月１４日ＳＵ（Sundayの略）１５：２８）であり、湿度情報３２の下側に表示される。
【００３８】
［快適範囲について］
（快適範囲の設定）
ところで、温湿度計１００では、快適範囲をユーザが設定可能とされている。本実施形態に係る快適範囲は、温度の上限及び下限、及び、湿度の上限及び下限により規定される。なお、快適範囲とは、環境情報について条件や事情に当てはまる範囲の一種として、対象にとって適切と考えられる環境情報の範囲（ユーザが主観的に快適と感じる環境範囲を含む）である。対象としては、赤ちゃん、高齢者、入院患者等の人間の他、ペット、昆虫等の生物、温度や湿度の管理が必要な食品（酒類を含む），薬品，楽器,美術品等を挙げることができる。ユーザは、これらの対象に応じて快適範囲を設定する。
【００３９】
図６及び図７は、快適範囲を設定するための設定画面例を示している。設定画面は表示部１２に表示される。快適範囲は、例えば電池を挿入した際になされる時刻の初期設定の後に設定可能とされる。なお、快適範囲は、デフォルトとして温度については１７℃〜２８℃に設定され、湿度については４０％〜７０％に設定されている。この温度及び湿度のデフォルト値は、建築物における衛生的環境の確保に関する法律（通称：建築物衛生法）における政令で定める基準（建築物環境衛生管理基準）に定められた値を参考にした値であるが他の値であっても良い。デフォルト値のままで良い場合には、快適範囲の設定はスキップされる。
【００４０】
図６Ａは、快適範囲の１つである温度の上限を設定する画面例を示している。表示部１２には、温度の値と「カイテキジョウゲン」の文字とが表示される。温度の値は、温度数値表示部２４を構成するセグメントのうち、適宜なセグメントを駆動することにより表示することができる。また、文字は、グラフ表示部２６を構成するセグメントのうち、適宜なセグメントを駆動することにより表示することができる。ユーザは、図６Ａに示す画面を見ながらボタン１３ｂ又はボタン１３ｃを適宜押下することで温度を切り替え、条件や事情に当てはまる温度の値のところでボタン１３ｄを押下し入力を確定する。入力が確定すると、表示部１２に表示される画面が図６Ｂに示す画面に遷移する。
【００４１】
図６Ｂは、快適範囲の１つである温度の下限を設定する画面例を示している。表示部１２には、温度の値と「カイテキカゲン」の文字とが表示される。温度の値は、温度数値表示部２４を構成するセグメントのうち、適宜なセグメントを駆動することにより表示することができる。また、文字は、グラフ表示部２６を構成するセグメントのうち、適宜なセグメントを駆動することにより表示することができる。ユーザは、図６Ｂに示す画面を見ながらボタン１３ｂ又はボタン１３ｃを適宜押下することで温度を切り替え、条件や事情に当てはまる温度の値のところでボタン１３ｄを押下し入力を確定する。入力が確定すると、表示部１２に表示される画面が図７Ａに示す画面に遷移する。
【００４２】
図７Ａは、快適範囲の１つである湿度の上限を設定する画面例を示している。表示部１２には、湿度の値と「カイテキジョウゲン」の文字とが表示される。湿度の値は、湿度数値表示部２５を構成するセグメントのうち、適宜なセグメントを駆動することにより表示することができる。また、文字は、グラフ表示部２６を構成するセグメントのうち、適宜なセグメントを駆動することにより表示することができる。ユーザは、図７Ａに示す画面を見ながらボタン１３ｂ又はボタン１３ｃを適宜押下することで湿度を切り替え、条件や事情に当てはまる温度の値のところでボタン１３ｄを押下し入力を確定する。入力が確定すると、表示部１２に表示される画面が図７Ｂに示す画面に遷移する。
【００４３】
図７Ｂは、快適範囲の１つである湿度の下限を設定する画面例を示している。表示部１２には、湿度の値と「カイテキカゲン」の文字とが表示される。湿度は、湿度数値表示部２５を構成するセグメントのうち、適宜なセグメントを駆動することにより表示することができる。また、文字は、グラフ表示部２６を構成するセグメントのうち、適宜なセグメントを駆動することにより表示することができる。ユーザは、図７Ｂに示す画面を見ながらボタン１３ｂ又はボタン１３ｃを適宜押下することで湿度を切り替え、好みの湿度のところでボタン１３ｄを押下し入力を確定する。設定された快適範囲は、フラッシュメモリ２３ｃに保存される。
【００４４】
（快適範囲の表示）
演算・制御部２１は、ユーザにより設定された快適範囲を表示部１２に表示させる制御を行う。図４に戻り、快適範囲の表示について説明する。図４に示すように、温度に関する快適範囲５１が表示部１２に表示される。演算・制御部２１は、グラフ表示部２６に温度変化グラフ４１として棒グラフで表示される温度の値の右側の近接した位置に並列して、適合範囲表示部２７に温度に関する快適範囲５１を棒グラフで表示する。なお、温度に関する快適範囲５１は、縦方向に伸びる矩形状の枠部５２を有し、更に、この枠部５２を区切るように表示される適合範囲目盛線５４ａ、５４ｂ・・・５４ｅを有する。
【００４５】
適合範囲目盛線５４ａは、環境情報目盛線４４ａに対応しており、環境情報目盛線４４ａの右側の延長上に表示される。また、適合範囲目盛線５４ａは、環境情報目盛線４４ａと同様に１５℃を示す線である。適合範囲目盛線５４ｂは、環境情報目盛線４４ｂに対応しており、環境情報目盛線４４ｂの右側の延長上に表示される。また、適合範囲目盛線５４ｂは、環境情報目盛線４４ｂと同様に２０℃を示す線である。適合範囲目盛線５４ｃは、環境情報目盛線４４ｃに対応しており、環境情報目盛線４４ｃの右側の延長上に表示される。また、適合範囲目盛線５４ｃは、環境情報目盛線４４ｃと同様に２５℃を示す線である。適合範囲目盛線５４ｄは、環境情報目盛線４４ｄに対応しており、環境情報目盛線４４ｄの右側の延長上に表示される。また、適合範囲目盛線５４ｄは、環境情報目盛線４４ｄと同様に３０℃を示す線である。適合範囲目盛線５４ｅは、環境情報目盛線４４ｅに対応しており、環境情報目盛線４４ｅの右側の延長上に表示される。また、適合範囲目盛線５４ｅは、環境情報目盛線４４ｅと同様に３５℃を示す線である。このように、温度変化グラフ４１における目盛線間の温度範囲と、快適範囲５１における目盛線間の温度範囲とが同一とされる（図示の例では５℃）。
【００４６】
枠部５２の内部には、ユーザにより設定された快適範囲を示すセグメント５５が表示される。セグメント５５は、黒い矩形状を成しており、セグメント４５よりやや小さい大きさである。本実施形態では、１個当たりのセグメント４５が対応する温度と、１個当たりのセグメント５５が対応する温度とが同一とされている。例えば、図４に示す例では、１個当たりのセグメント４５が１℃に対応しており、且つ、１個当たりのセグメント５５も１℃に対応している。快適範囲は、１９℃〜２７℃である。仮に、１個当たりのセグメント４５が２℃に対応する場合には、１個当たりのセグメント５５も２℃に対応する。
【００４７】
このように、演算・制御部２１は、グラフ表示部２６に温度変化グラフ４１として棒グラフで表示される温度の値の右側の近接した位置に並列して、適合範囲表示部２７に温度に関する快適範囲５１を棒グラフで表示する。更に、演算・制御部２１は、温度変化グラフ４１の各目盛線の延長上に、快適範囲５１における各目盛線を表示する。更に、演算・制御部２１は、１個当たりのセグメント４５が対応する温度及び１個当たりセグメント５５が対応する温度を同一にして、セグメントを表示する。
【００４８】
本実施形態に係る表示によれば、温度変化グラフ４１と快適範囲５１とを分離して表示するので、両者が混在することなくユーザがそれぞれを見易い表示とすることができる。また、温度変化グラフ４１と快適範囲５１とを並列して棒グラフで表示することにより、ユーザは両者に関する対比的な理解を行うことが可能となる。具体的には、ユーザは、１日の温度変化の中でどれくらい快適範囲を超える時間があったかを直感的に理解することできる。更に、画像を表現する素子が少ないディスプレイを使用した場合でも上述した適切な表示を行うことができる。
【００４９】
［湿度変化グラフ及び湿度に関する快適範囲の表示］
なお、これまでは主に温度の時系列な変化に関する表示及び温度に関する快適範囲の表示について説明したが、湿度に関しても同様の表示がなされる。以下、湿度の時系列な変化を示す表示等について概略的に説明する。図８に示すように、演算・制御部２１は、グラフ表示部２６に湿度の時系列的な変化を湿度変化グラフ６１として棒グラフで表示する。また、演算・制御部２１は、湿度変化グラフ６１の右側の近接した位置に並列して、適合範囲表示部２７に、湿度に関する快適範囲７１を棒グラフで表示する。
【００５０】
演算・制御部２１は、ユーザによってなされる操作に応じて、温度に関する表示と湿度に関する表示とを切り替える。例えば、温度変化グラフ４１及び温度に関する快適範囲５１が表示されている状態（図９Ａ）で、ユーザによってボタン１３ａが押下されると、演算・制御部２１は、温度変化グラフ４１及び温度に関する快適範囲５１に変えて、湿度変化グラフ６１及び湿度に関する快適範囲７１を表示する（図９Ｂ）。反対に、湿度変化グラフ６１及び湿度に関する快適範囲７１が表示されている状態（図９Ｂ）で、ユーザによってボタン１３ａが押下されると、演算・制御部２１は、湿度変化グラフ６１及び湿度に関する快適範囲７１に変えて、温度変化グラフ４１及び温度に関する快適範囲５１を表示する（図９Ａ）。
【００５１】
［温湿度計の動作例］
温湿度計１００の具体的な動作例について説明する。温度センサ２２ａ及び湿度センサ２２ｂはそれぞれ温度及び湿度を検出し、検出した温度検出データ及び検出した湿度検出データを例えば２０秒ごとに変換処理部２２ｃに出力する。変換処理部２２ｃは、各センサの出力（検出された温度検出データ及び検出された湿度検出データ）を増幅してＡ／Ｄ変換した後、変換された温度検出データ及び変換された湿度検出データを演算・制御部２１に出力する。
【００５２】
演算・制御部２１は、変換後の温度検出データ及び湿度検出データに基づいて温度の値及び湿度の値を求め、それらの温度の値及び湿度の値が表示されるように、所定のセグメントを駆動して温度情報３１及び湿度情報３２を表示する。温度情報３１及び湿度情報３２は、温度センサ２２ａ及び湿度センサ２２ｂの温度検出データ及び湿度検出データの出力間隔である２０秒毎に更新される。
【００５３】
また、演算・制御部２１は、温度検出データを１時間毎の時間帯に分け、日時情報と関連づけてフラッシュメモリ２３ｃに記憶する。そして、演算・制御部２１は、現在の時刻が属する時間帯において蓄積された温度の平均値を求め、その平均値に対応する数のセグメント４５を温度変化グラフ４１における当該時間帯の列に棒グラフで表示する。演算・制御部２１は、時計部２１ａが計時した時間が次の時間帯に含まれる時間に変わった場合には、当該時間帯の列に温度の平均値に対応する数のセグメント４５を表示する。
【００５４】
更に、演算・制御部２１は、操作入力部１３により入力された温度の快適範囲に関する設定をフラッシュメモリ２３ｃから読み出し、読み出した結果に基づいて快適範囲５１を表示する。なお、図９Ｂに示したように、ユーザによって湿度に関する表示が設定されている場合には、演算・制御部２１は、上述した処理と同様の処理を行うことにより、湿度変化グラフ６１及び湿度に関する快適範囲７１を表示する。
【００５５】
（当日及び過去の履歴の表示）
温湿度計１００は、当日及び過去６日間のそれぞれの日における温度の検出履歴及び湿度の検出履歴に関する表示を特定のモードとして行うことができる。以下の説明では、図９Ａ及び図９Ｂに示した、現在の温度の値である温度情報３１、現在の湿度の値である湿度情報３２、当日の温度の時系列的な変化を示す温度変化グラフ４１及び温度に関する快適範囲５１（若しくは、当日の湿度の時系列的は変化を示す湿度変化グラフ６１及び湿度に関する快適範囲７１）が表示されるモードをメインモードと称する。また、当日を含む過去の温度の測定履歴（若しくは、当日を含む過去の湿度の測定履歴）を表示するモードをメモリモードと称する。ボタン１３ｂ又はボタン１３ｃが押下されることにより、モードがメインモードからメモリモードに遷移する。また、メモリモードで所定時間（例えば、５分間）操作が無い場合には、モードがメモリモードからメインモードに遷移する。
【００５６】
メモリモードにおける表示例について説明する。メモリモードでは、演算・制御部２１は、温度変化グラフ（湿度変化グラフ）の当日（１１月１４日日曜日）から６日前（１１月８日月曜日）における全ての温度変化グラフ（湿度変化グラフ）が考慮された目盛線を設定する。これにより、ユーザの操作によって当日から６日前まで表示が切り替えられても、メモリモードでは同じ温度の値（湿度の値）を示す目盛線が表示され、目盛線に対応する温度（湿度）が変わらない。
【００５７】
図９Ａに示すメインモードの表示状態において、ボタン１３ｂ又はボタン１３ｃが押下されると、モードがメインモードからメモリモードに遷移し、図１０Ａに示す表示に遷移する。演算・制御部２１は、モードがメモリモードの場合は、表示部１２に「ＡＶＧ」及び「Ｍ」の文字を表示する。また、演算・制御部２１は、メモリモードにおける環境情報目盛線４４ａ、４４ｂ・・４４ｅに対応する温度を再設定し、再設定した環境情報目盛線毎の温度を表示する。図９Ａに示したようにメインモードにおける環境情報目盛線４４ａ、４４ｂ・・４４ｅ及び適合範囲目盛線５４ａ、５４ｂ・・５５ｅに対応する温度は１５℃、２０℃・・３５℃であるが、図１０Ａに示したようにメモリモードにおける環境情報目盛線４４ａ、４４ｂ・・４４ｅ及び適合範囲目盛線５４ａ、５４ｂ・・５５ｅに対応する温度は１０℃、１５℃・・３０℃となる。
【００５８】
ボタン１３ｂが１回押されると、図１０Ａに示すように、当日（１１月１４日）における温度の平均値、湿度の平均値、温度変化グラフ４１及び温度に関する快適範囲５１が表示される。なお、各環境情報目盛線及び各適合範囲目盛線に対応する温度が再設定されているので、それに対応して温度の値及び快適範囲を示すセグメントの個数や表示位置も変化して表示される。
【００５９】
更に、ユーザによってボタン１３ｂが押下されると、表示が図１０Ｂに示す表示に遷移する。表示部１２には、１日前（１１月１３日）の温度の平均値（２１．３℃）、１日前の湿度の平均値（４４％）、１日前の温度変化グラフ４１及び１日前の温度に関する快適範囲５１が表示される。なお、図示はしていないが、図１０Ｂに示す表示状態において、ユーザによってボタン１３ｂが押下されると、２日前の温度の平均値、２日前の湿度の平均値、２日前の温度変化グラフ４１及び２日前の快適範囲５１が表示される。以降、ボタン１３ｂが押される度に３日前、４日前・・６日前の温度変化グラフ４１等が表示される。表示の変化があった場合でも上述したように、環境情報目盛線４４ａ、４４ｂ・・４４ｅ及び適合範囲目盛線５４ａ、５４ｂ・・５５ｅに対応する温度は変化せずに、１０℃、１５℃・・３０℃のままである。なお、反対にボタン１３ｃが押される度に、６日前、５日前、・・当日の温度変化グラフ４１等が表示される。
【００６０】
湿度についても同様である。図９Ｂに示すメインモードの表示状態において、ボタン１３ｂ又はボタン１３ｃが押下されると、モードがメインモードからメモリモードに遷移し、図１０Ｃに示す表示に遷移する。演算・制御部２１は、モードがメモリモードの場合は、表示部１２に「ＡＶＧ」と「Ｍ」との文字を表示する。また、演算・制御部２１は、メモリモードにおける環境情報目盛線４４ａ、４４ｂ・・４４ｅに対応する湿度を再設定し、再設定した湿度を表示する。図９Ｂに示したようにメインモードにおける環境情報目盛線４４ａ、４４ｂ・・４４ｅ及び適合範囲目盛線５４ａ、５４ｂ・・５５ｅに対応する湿度は４５％、５０％・・６５％であるが、図１０Ｃに示したようにメモリモードにおける環境情報目盛線４４ａ、４４ｂ・・４４ｅ及び適合範囲目盛線５４ａ、５４ｂ・・５５ｅに対応する湿度は４０％、４５％・・６０％となる。
【００６１】
更に、ユーザによってボタン１３ｂが押下されると、表示が図１０Ｄに示す表示に遷移する。表示部１２には、１日前の温度の平均値（図示の例では２１．３℃）、１日前の湿度の平均値（４４％）、１日前の湿度変化グラフ６１及び１日前の湿度に関する快適範囲７１が表示される。図示はしていないが、図１０Ｄに示す表示状態において、ユーザによってボタン１３ｂが押下されると、２日前の温度の平均値、２日前の湿度の平均値、２日前の湿度変化グラフ６１及び２日前の湿度に関する快適範囲７１が表示される。以降、ボタン１３ｂが押される度に３日前、４日前・・６日前の湿度変化グラフ６１等が表示される。上述したように、環境情報目盛線４４ａ、４４ｂ・・４４ｅ及び適合範囲目盛線５４ａ、５４ｂ・・５５ｅに対応する温度は変化せずに、４０％、４５％・・６０％のままである。なお、反対にボタン１３ｃが押される度に、６日前、５日前、・・当日の湿度変化グラフ６１等が表示される。
【００６２】
なお、例えば、図１０Ｂに示す表示状態でボタン１３ａが押下されると、表示内容が図１０Ｄに示す表示に遷移する。反対に、例えば、図１０Ｄに示す表示状態でボタン１３ａが押下されると、表示内容が図１０Ｂに示す表示に遷移する。このように、温度に関する表示と湿度に関する表示の切り替えは、メインモードと同様にして行うことができる。
【００６３】
以上のようなメモリモードにおける表示を行うことにより、当日及び過去の１日における温度や湿度の変化を比べることができる。また、過去の温度変化や湿度変化を見ることで、ユーザは、例えばユーザの家屋等、その場所特有の温度変化や湿度変化の傾向を知ることができる。このような情報は、当該家屋で新しく生活を始めたユーザ等にとって有益である。
【００６４】
[応用例]
本発明は、様々な応用が可能である。例えば、ある時間帯において温度及び湿度の少なくとも一方が快適範囲外となった場合には、ユーザに対する報知がなされても良い。ユーザに対する報知は、音、振動、光、ユーザが有するスマートフォン等の携帯端末へのメール送信等で行われる。報知を行う場合には、温湿度計１００は、これらの報知を行う構成（スピーカ、バイブレータ、ＬＥＤ(Light Emitting Diode)、通信部等）を有する。また、一度、温度及び湿度の少なくとも一方が快適範囲外となった後に、再度、快適範囲内になった場合に報知がなされても良い。また、温度及び湿度の少なくとも一方が快適範囲外に近づいた場合に報知がなされても良い。快適範囲外になった場合に、ユーザが携帯端末を利用した遠隔操作等により空調設備を稼働できるようにしても良い。
【００６５】
温度及び湿度に関する測定データが、外部メモリに出力可能とされても良い。外部メモリとしてはＵＳＢ(Universal Serial Bus)メモリ、ＳＤカード、クラウドサーバ等を挙げることができる。この場合、温湿度計１００は、入出力端子やインターネット等のネットワークに接続するための通信部を有する。これにより、過去における温度及び湿度の測定データを７日間に限定されることなく、より多く記憶することができる。例えば、同じ場所における１年前の温度の測定データを読み出しそれに基づいて温度の時系列的な変化を生成することにより、当該日と今年の同じ日における温度の時系列的な変化とを比較することができる。また、温度及び湿度の時系列的な変化を温湿度計１００とは異なる装置での表示が可能となる。これにより、例えば、住宅、オフィスビルの販売、賃貸の勧誘において当該住宅等の購入予定者に温度変化等を提示することができる。なお、この場合、演算・制御部２１が有する制御機能を実行するプログラムを温湿度計１００と異なる装置にインストールすることにより、当該装置における温度変化グラフ等の表示が可能となる。更に、温度及び湿度の時系列な変化に関するデータを集めビックデータとして解析することで、例えばある地域における方角に応じた室温の変化の傾向等を得ることが可能となる。
【００６６】
＜２．変形例＞
以上、本発明の一実施形態について説明したが、本発明は上述した実施形態に限定されるものではなく、本発明の技術思想の範囲内において種々の変更が可能である。以下、変形例について説明する。
【００６７】
（セグメントの配置に関する変形例）
図１１〜図１５を参照して、セグメントの配置に関する変形例について説明する。表示部１２が横長の表示画面の場合にグラフ表示部２６の時間軸が横になるときには、適合範囲表示部２７は、横長の表示画面の右辺下部（図３）、左辺下部（図１１Ａ）、右辺上部（図１１Ｂ）、左辺上部（図１１Ｃ）の画面内側付近に位置する表示形態になる。表示部１２が横長の表示画面の場合にグラフ表示部２６の時間軸が縦になるときには、適合範囲表示部２７は、横長の表示画面の上辺右部（図１２Ａ）、下辺右部（図１２Ｂ）、上辺左部（図１２Ｃ）、下辺左部（図１３Ａ）、上辺中部（図１３Ｂ）、下辺中部（図１３Ｃ）の画面内側付近に位置する表示形態になる。
【００６８】
表示部１２が縦長の表示画面の場合にグラフ表示部２６の時間軸が縦になるときには、適合範囲表示部２７は、縦長の表示画面の上辺右部（図１４Ａ）、下辺右部（図１４Ｂ）、上辺左部（図１５Ａ）、下辺左部（図１５Ｂ）の画面内側付近に位置する表示形態になる。表示部１２が縦長の表示画面の場合にグラフ表示部２６の時間軸が横になるときには、適合範囲表示部２７は、縦長の表示画面の右辺上部（図１６Ａ）、左辺上部（図１６Ｂ）、右辺下部（図１７Ａ）、左辺下部（図１７Ｂ）、右辺中部（図１８Ａ）、左辺中部（図１８Ｂ）の画面内側付近に位置する表示形態になる。
【００６９】
（その他の変形例）
上述した一実施形態において、おすすめの快適範囲が提示されるようにしても良い。おすすめの快適範囲は、温湿度計１００が使用される位置（例えば、ＧＰＳ(Global Positioning System)データに基づいて特定される位置）、季節、外気温のデータ、シーン（オフィス、リビング、寝室）、快適範囲の対象、快適範囲の対象が人物である場合は当該人物の性別、年齢等の属性等に基づいて、演算・制御部２１が判断した範囲である。
【００７０】
上述した一実施形態において、グラフ表示される１時間単位の温度（湿度）は平均値に限らず、中央値であっても良い。また、当日及び過去の履歴は７日分に限らず、２週間分やそれ以上であっても良い。環境情報は、温度及び湿度の一方であっても良い。
【００７１】
上述した一実施形態において、温度変化グラフ４１及び温度に関する快適範囲５１と、湿度変化グラフ６１及び湿度に関する快適範囲７１とが表示部１２に同時に表示されるようにしても良い。また、セグメント４５、５５の形状は矩形でなく、円形等であっても良いし、セグメント４５とセグメント５５の大きさが同じであっても良い。更に１個当たりのセグメントが対応する環境情報は、１〜４（℃又は％）に限定されることなく任意の値とすることができる。
【００７２】
上述の実施形態において挙げた構成、方法、工程、形状、材料および数値などはあくまでも例に過ぎず、必要に応じてこれと異なる構成、方法、工程、形状、材料および数値などを用いてもよい。また、実施形態および変形例で説明した事項は、技術的な矛盾が生じない限り相互に組み合わせることができる。
【符号の説明】
【００７３】
１２・・・表示部、２１・・・演算・制御部、２２・・・検出変換部、２６・・・グラフ表示部、２７・・・適合範囲表示部、４１・・・温度変化グラフ、４４ａ〜４４ｅ・・・環境情報目盛線、５１・・・（温度に関する）快適範囲、５４ａ〜５４ｅ・・・適合範囲目盛線、６１・・・湿度変化グラフ、７１・・・（湿度に関する）快適範囲、１００・・・温湿度計
【図１】
2019045306.tif 000003
【図２】
2019045306.tif 000004
【図３】
2019045306.tif 000005
【図４】
2019045306.tif 000006
【図５】
2019045306.tif 000007
【図６】
2019045306.tif 000008
【図７】
2019045306.tif 000009
【図８】
2019045306.tif 000010
【図９】
2019045306.tif 000011
【図１０】
2019045306.tif 000012
【図１１】
2019045306.tif 000013
【図１２】
2019045306.tif 000014
【図１３】
2019045306.tif 000015
【図１４】
2019045306.tif 000016
【図１５】
2019045306.tif 000017
【図１６】
2019045306.tif 000018
【図１７】
2019045306.tif 000019
【図１８】
2019045306.tif 000020